(57)【特許請求の範囲】
【請求項１】
耳介内イヤピース（２）用の音を伝送するための装置（４）であって、
入口軸線（Ｘ）に沿って延びている入口開口部（４１）であって、放音源（３）を受け入れることができる入口開口部（４１）と、
耳（１）内に向けることのできる出口開口部（４２）と、
音を上流から下流に、前記入口開口部（４１）から前記出口開口部（４２）に伝導することができる拡散エンクロージャ（４０）と、
を備える装置（４）において、
前記拡散エンクロージャ（４０）が、前記入口開口部（４１）と反対側に、前記入口軸線（Ｘ）と直交して延びている第１の振動壁（５１）を備え、前記第１の振動壁（５１）が、前記入口軸線（Ｘ）に沿って、放音に従って共鳴できることを特徴とする、装置（４）。
【請求項２】
前記音を伝送するための装置（４）が、耳（１）の上部に取り付けることのできる湾曲した形状を有する、請求項１に記載の装置。
【請求項３】
前記拡散エンクロージャ（４０）が、減少していく断面を有する上流部分（５）を備える、請求項１又は２に記載の装置。
【請求項４】
前記拡散エンクロージャ（４０）が、前記第１の振動壁（５１）と実質的に平行な第２の振動壁（５２）を備える、請求項１から３のいずれか１項に記載の装置。
【請求項５】
前記入口開口部（４１）が、前記第２の振動壁（５２）で閉じている、請求項４に記載の装置。
【請求項６】
前記拡散エンクロージャ（４０）が、少なくとも１つの上側魂柱（１１）を備え、前記上側魂柱（１１）が、前記第１の振動壁（５１）と接触し、前記第１の振動壁（５１）を引き伸ばすようになっている、請求項１から５のいずれか１項に記載の装置。
【請求項７】
前記拡散エンクロージャ（４０）が、前記第１の振動壁（５１）と平行な第２の振動壁（５２）を備え、前記上側魂柱（１１）が、前記第１の振動壁（５１）と前記第２の振動壁（５２）との間に、振動を前記振動壁（５１，５２）の間で機械的に伝送するために取り付けられている、請求項６に記載の装置。
【請求項８】
前記上側魂柱（１１）が、前記入口軸線（Ｘ）と実質的に平行に延びている、請求項６又は７に記載の装置。
【請求項９】
前記拡散エンクロージャ（４０）が、長手方向に延びており、前記拡散エンクロージャ（４０）が、少なくとも１つのバランスピース（１０）を備え、前記バランスピース（１０）が、前記拡散エンクロージャ（４０）の側縁部に取り付けられ、前記拡散エンクロージャ（４０）の空洞内に突出している、請求項１〜８のいずれか１項に記載の装置。
【請求項１０】
前記拡散エンクロージャ（４０）が、上側魂柱（１１）を備え、前記バランスピース（１０）が、前記上側魂柱（１１）の下流に取り付けられている、請求項９に記載の装置。
【請求項１１】
袋小路下側チャンバ（８）を備える、請求項１〜１０のいずれか１項に記載の装置。
【請求項１２】
前記袋小路下側チャンバ（８）が、前記拡散エンクロージャ（４０）の延長上に延びている、請求項１１に記載の装置。
【請求項１３】
前記袋小路下側チャンバ（８）が、下側魂柱（１２）を備える、請求項１１又は１２に記載の装置。
【請求項１４】
前記袋小路下側チャンバ（８）が、前記袋小路下側チャンバ（８）の深さを変更するのに適した可動壁（１３）を備える、請求項１１又は１２に記載の装置。
【請求項１５】
請求項１〜１４のいずれか１項に記載の音を伝送するための装置（４）と、
前記音を伝送するための装置（４）の前記入口開口部（４１）に取り付けられた放音源（３）と、
を備えるイヤピース。
【発明の詳細な説明】
【技術分野】
【０００１】
本発明は、音、特に音楽を伝送するための装置の分野に関する。
【背景技術】
【０００２】
先行技術において、オーディオヘッドセットが開示されている。オーディオヘッドセットは、頭に装着するのに適し、２つのイヤピースを備える。イヤピースは、アーチによって接続されており、ヘッドセットの装着者の耳を覆うために使用される。このイヤピースは、一般に閉鎖型（closed）イヤピースと呼ばれる。同様に、接続アーチの無いイヤピースも知られており、これは耳の中に直接配置されるものである。このイヤピースは、一般に耳介内（intra-auricular）イヤピースと呼ばれる。例えば、耳の耳道の入口を閉鎖するためのプラグを備える耳介内イヤピース、及び耳道内に自由に取り付けられる耳介内イヤピースが知られており、特許文献１に教示されている。
【０００３】
従来、耳介内イヤピースは電子スピーカを備え、このスピーカに可撓性エンドピースが取り付けられている。可撓性エンドピースは、耳道に直接差し込まれるものである。このようなイヤピースは、耳の鼓膜のすぐ近くで音を発する。可撓性エンドピースにおける音の循環の経路は短く、ほぼ２〜３ｃｍ程度である。
【０００４】
このような耳介内イヤピースの音性能は、最適ではない。音性能は、いくつかのパラメータの関数として決定することができ、このパラメータは特に、高音の品質、中音の品質、低音の品質、及び発せられる音の空間性（spatiality）である。注意として、空間性は、音が、聞き手の脳によって、様々な音源及び異なる場所から発生していると解釈される可能性に対応する。例えば、イヤピースが空間性を再構成できる場合、聞き手には、聞き手から様々な距離に位置する音源から発生する音が聞こえる。特に、木管楽器は金管楽器よりも聞き手に近いように思われてもよい。このことは、聞き手をより没頭（immersion）させる。
【０００５】
実際には、従来の耳介内イヤピースは、イヤピースのスピーカが聞き手の耳に非常に近いことを考えると、十分な空間性を提供せず、このことは不利益である。
【０００６】
この不利益を補完するために、スピーカが、音の空間性を生成できる電子モジュールを備えるイヤピースが知られている。この電子モジュールは、特定の周波数を他の周波数に対してオフセットすることにより、音の空間性を生成できる。高いコストを検討しなければ、このようなイヤピースは、人工の空間性を提供するが、聞き手が没頭できるようにするために最適ではない。
【先行技術文献】
【特許文献】
【０００７】
【特許文献１】特許出願ＦＲ２９１５０４９
【発明の概要】
【発明が解決しようとする課題】
【０００８】
したがって、本発明の目的は、単純な設計のイヤピースであって、最適な空間品質を有する音を提供し、聞き手のリスニングを改善できるイヤピースを提案することにより、上記の不利益を克服することである。
【課題を解決するための手段】
【０００９】
この効果のために、本発明は、耳介内イヤピース用の音を伝送するための装置に関し、入口軸線に沿って延びている入口開口部であって、放音源を受け入れることができる入口開口部と、耳内に向けることのできる出口開口部と、音を上流から下流に、入口開口部から出口開口部に伝導することができる拡散エンクロージャと、を備える装置に関する。
【００１０】
装置は、拡散エンクロージャが、入口開口部と反対側に、入口軸線と直交して延びている第１の振動壁を備え、第１の振動壁が、入口軸線に沿って、放音に従って共鳴できることを特徴とする。
【００１１】
したがって、本発明による音を伝送するための装置は、振動ボックス（vibration box）の機能を満たす。振動ボックスは、放音源から発せられる音の周波数をオフセットして、音の空間性を向上させることを可能にする。従来のイヤピースとは対照的に、聞き手は更に没頭する。テスト中、聞き手は音の圧縮を全く感じない。逆に、リスニングは利用可能（accessible）かつ自然である。
【００１２】
このような没頭は、壁の振動により機械的に引き起こされるので、より一層快適である。放音源と直交する壁は、音を変形せずに、最適な振動を可能にする。加えて、入口開口部と出口開口部との間の距離は、耳道の近くに取り付けられる従来のイヤピースと比較して、空間性を向上させることを可能にする。好ましくは、入口開口部及び出口開口部は、少なくとも５ｃｍ、好ましくは少なくとも１０ｃｍオフセットしている。
【００１３】
好ましくは、音を伝送するための装置は、耳の上部に取り付けることのできる湾曲した形状を有し、エルゴノミクスを改善するようになっている。したがって、音伝導機能とイヤピースを装着する機能との間の相乗効果がある。
【００１４】
好ましくは、拡散エンクロージャは、減少していく断面を有する上流部分を備える。したがって、有利なことに、音の伝送中に音を圧縮でき、このことは、音のダイナミクス及び強さを改善する。
【００１５】
好ましい態様によると、拡散エンクロージャは、第１の振動壁と実質的に平行な第２の振動壁を備える。したがって、２つの振動壁は、振動を伝送装置内で増加させることを可能にするので、音の空間性を向上させる。
【００１６】
好ましくは、入口開口部は、第２の振動壁に形成されており、このことは、伝送装置が占める空間を限定する。
【００１７】
好ましくは、拡散エンクロージャは、少なくとも１つの上側魂柱（upper soundpost）を備え、上側魂柱は、第１の振動壁と接触し、第１の振動壁を引き伸ばすようになっている。上側魂柱は、第１の振動壁の張力を増加させることを可能にするので、第１の振動壁は、ドラムのスキンのように振動する。加えて、このことは、音の力を増加させるので、過度に大きな放音源の使用を回避することを可能にする。
【００１８】
好ましくは、拡散エンクロージャは、第１の振動壁と平行な第２の振動壁を備え、上側魂柱は、第１の振動壁と第２の振動壁との間に、振動を振動壁の間で機械的に伝送するために取り付けられている。したがって、２つの振動壁の振動が同期し、このことは、音の空間性を向上させる。
【００１９】
好ましくは、上側魂柱は、入口軸線と実質的に平行に延びている。したがって、上側魂柱は、拡散エンクロージャ内で、限定された空間要件を有し、このことは、音の力が弱まるリスクを限定する。
【００２０】
好ましい態様によると、拡散エンクロージャは長手方向に延びており、拡散エンクロージャは少なくとも１つのバランスピースを備え、バランスピースは、拡散エンクロージャの側縁部に取り付けられ、拡散エンクロージャの空洞内に突出している。バランスピースは、バイオリンのバスバーのように、音の合成を可能にする。これは、振動から発生する異なる音のバランスを取り、まとまりのある全体（coherent whole）を形成するようにするためである。
【００２１】
好ましくは、拡散エンクロージャは、上側魂柱を備え、バランスピースは、上側魂柱の下流に取り付けられている。したがって、バランスピースは、振動から発生する全ての音をフィルタリングできる。有利には、バランスピースと上側魂柱とは接触しない。
【００２２】
好ましくは、音を伝送するための装置は、袋小路下側チャンバ（blind lower chamber）を備える。このような袋小路チャンバは、入口開口部と出口開口部との間の音の循環の経路を長くすることを可能にし、このことは、空間性と共にダイナミクスを改善する。
【００２３】
好ましくは、袋小路下側チャンバは、拡散エンクロージャの延長上に延びている。したがって、下側チャンバと拡散エンクロージャとの間の連通は直接的である。また、好ましくは、第１の振動壁は、拡散エンクロージャ及び下側チャンバの一部を形成する。更に好ましくは、第２の振動壁は、拡散エンクロージャ及び下側チャンバの一部を形成する。
【００２４】
また、好ましくは、袋小路下側チャンバは、下側魂柱を備え、この下側魂柱は、下側チャンバ内の振動を増加させるようにして、空間性効果を強化するためのものである。加えて、このことは、音の力を増加させることを可能にするので、過度に大きな放音源の使用を回避することを可能にする。
【００２５】
好ましくは、袋小路下側チャンバは、袋小路下側チャンバの深さを変更するのに適した可動壁を備える。有利なことに、このような移動壁は、聞き手が音の循環の経路の長さを調節することを可能にし、このことは、高音、中音、及び低音の構成成分を調節することを可能にする。言い換えると、聞き手は、それぞれのイヤピースを聞き手の好みに調節して、聞き手の趣味に適合させた空間性で、最適なリスニングを楽しむようにできる。
【００２６】
本発明は、以上に提示された音を伝送するための装置と、音を伝送するための装置の入口開口部に取り付けられた放音源と、を備えるイヤピースにも関する。
【００２７】
本発明は、単なる例として与えられる下記の説明を読み、添付の図面を参照すると、より良好に理解されるであろう。
【図面の簡単な説明】
【００２８】
【図１】使用位置にある本発明によるイヤピースの図表示である。
【図２】音を伝送するための装置の第１の実施形態の正面からの図表示である。
【図３】図２の音を伝送するための装置の背面からの図表示である。
【図４】音を伝送するための装置の第２の実施形態の断面の図表示である。
【図５】図４の音を伝送するための装置のＡ−Ａによる断面図である。
【図６】図４の音を伝送するための装置のＢ−Ｂによる断面図である。
【図７】音を伝送するための装置の第３の実施形態の断面の図表示である。
【図８】図７の音を伝送するための装置の横断面の図表示である。
【図９】図７及び図８の音を伝送するための装置の調節工程の図表示である。
【発明を実施するための形態】
【００２９】
図面は、本発明の実施を可能にするために、本発明を詳細に説明していることに注意すべきであり、この図面は、当然ながら、適用可能な場合、本発明をより良好に定義するためにも使用できる。
【００３０】
図１を参照すると、本発明による耳介内イヤピース２の図表示が示されており、耳介内イヤピース２は、人の耳１に使用位置で取り付けられている。
【００３１】
耳介内イヤピース２は、音を伝送するための装置４を備え、音を伝送するための装置４には、放音源３が取り付けられている。この実施形態の例では、放音源３は、直径が１２〜１５ｍｍのスピーカの形態であり、ワイヤによって、ポータブルオーディオプレーヤに接続されている。しかし、当然ながら、無線接続、特にＢｌｕｅｔｏｏｔｈ（登録商標）が適切であることもある。
【００３２】
図２及び図３に図示されるように、音を伝送するための装置４は、入口軸線Ｘに沿って延びている入口開口部４１を備え、入口開口部４１は、放音源３、特にスピーカを受け入れることができる。また、好ましくは、入口開口部４１は、環状形状を有し、形状の相補性によって、環状形状を有するスピーカと協働するようになっている。音を伝送するための装置４は更に、耳道に挿入され得る出口開口部４２を備える。この効果のために、出口開口部４２は、直径がほぼ３〜５ｍｍ程度であり、高い最終圧縮を形成するようになっている。これは、聞き手の耳において、大きく復元（decompression）し、受信される音の動的挙動を増加させるためである。好ましくは、出口開口部４２の直径は、ほぼ３〜４ｍｍ程度である。
【００３３】
本発明によると、音を伝送するための装置４は、音を上流から下流に、入口開口部４１から出口開口部４２に伝導することができる拡散エンクロージャ４０を含む。この実施形態では、音を伝送するための装置４は、入口開口部４１から延びている袋小路下側チャンバ８を備える。袋小路チャンバ８は、入口開口部４１を除き開口部を有しないチャンバを意味すると理解される。以下で提示されるように、袋小路チャンバ８は、入口開口部４１から発生する音を、出口開口部４２に返す前に反射することを可能にする。
【００３４】
好ましくは、音を伝送するための装置は、１つだけの入口開口部４１、及び１つだけの出口開口部４２を備え、入口開口部４１と出口開口部４２との間で、音の力が減少することを回避する。好ましくは、入口開口部４１は、放音源３によって生成される振動を減衰させるためのダンパ（グルー、エラストマ、ガスケット等）を備える。
【００３５】
図１〜図３に図示されるように、音を伝送するための装置４は湾曲しており、耳１に人間工学的に吊るすことを可能にする。
【００３６】
拡散エンクロージャ４０
以下に示されるように、拡散エンクロージャ４０は、音を入口開口部４１から出口開口部４２に直接伝送すること、及び音を振動によって機械的に処理することを可能にする。
【００３７】
この実施形態では、拡散エンクロージャ４０は、連続的に、上流部分５、中間部分６、及び下流部分７を備え、これらは、入口開口部４１と出口開口部４２との間で音を伝導するためのものである。この例では、部分５，６，７は、インターロックによって互いに接続されている。しかし、当然ながら、特定の部分、特に上流部分５、及び中間部分６は、モノブロックアセンブリを形成してもよく、下流部分７は、聞き手が向きを変えることができ、イヤピース２を聞き手の耳に配置することが容易であるようになっていてもよい。
【００３８】
以下では、拡散エンクロージャ４０の部分５，６，７を独立して提示する。
【００３９】
上流部分５
上流部分５は、有利なことに、拡散エンクロージャ４０内で共鳴を生成することを可能にする。これは、音の周波数を機械的にオフセットして、音の空間性を生成するためである。したがって、上流部分５は、共鳴チャンバ５とも称されるであろう。
【００４０】
好ましくは、上流部分５は、入口軸線Ｘと直交する平面において、入口開口部４１の位置で延びている。この効果のために、図２及び図３を参照すると、上流部分５は、第１の振動壁５１を入口開口部４１と反対側に含み、第１の振動壁５１は、入口軸線Ｘと直交して延びている。同様に、上流部分５は、第２の振動壁５２を含み、第２の振動壁５２は、第１の振動壁５１と実質的に平行である。図２に図示されるように、入口開口部４１は、第２の振動壁５２に形成されており、放音源から発生する音波が、第１の振動壁５１と接した後、上流から下流に、振動壁５１，５２の間を誘導されるようになっている。更に図２及び図３を参照すると、振動壁５１，５２は、内側側壁５３及び外側側壁５４によって、横方向に接続されている。振動壁５１，５２は、互いに平行なままでありながら、湾曲していてもよい。これは、聞き手の頭蓋骨の形状に適合し、同時に最適な振動を確実にするためである。
【００４１】
図２及び図３を参照すると、拡散エンクロージャ４０の上流部分５は、上流から下流に減少する断面を有し、音の圧縮を可能にするようになっている。好ましくは、上流部分５は、下流端部で湾曲しており、上記のように、耳１に取り付けることを可能にするようになっている。
【００４２】
好ましくは、上流部分５は、振動壁５１，５２の最適な振動を可能にするために、ＰＶＣ型の剛性材料から形成されるが、当然ながら、他の材料も適切であり得る。
【００４３】
好ましくは、上流部分５は、長さが３〜５ｃｍであり、上流幅が１０〜１５ｍｍであり、下流幅が３〜５ｍｍである。有利には、上流幅は、放音源の幅、すなわち、スピーカの幅に適合している。当然ながら、他の寸法も適切であり得る。
【００４４】
また、好ましくは、上流部分５の厚さは、ほぼ１〜３ｍｍ程度であり、放音源が第１の振動壁を最適に振動させることができるようになっている。
【００４５】
中間部分６
中間部分６は、有利なことに、圧縮された音を、上流部分５と下流部分７との間で誘導することを可能にする。図２及び図３を参照すると、拡散エンクロージャ４０の中間部分６は、上流から下流まで、実質的に一定の断面を有し、湾曲している。
【００４６】
下流部分７
下流部分７は、有利なことに、圧縮された音を、中間部分６から耳７の耳道に誘導することを可能にする。この目的のために、下流部分７は屈曲しており、耳１の耳介の周辺を通った後、下流部分７を耳１の耳道に挿入することを容易にするようになっている。図２及び図３を参照すると、拡散エンクロージャ４０の中間部分６は、上流から下流まで、実質的に一定の断面を有している。
【００４７】
任意で下流部分７の下流端部は、音を伝送するための装置４と聞き手の耳１との間の相互作用を改善するために、エンドピース９（図４）を備えてもよい。好ましくは、エンドピース９は、エラストマ材料で作製されている。
【００４８】
別の態様によると、特許出願ＦＲ２９１５０４９によって教示されるように、拡散エンクロージャ４０は、伝送装置の出口開口部を甲介の入口に維持し、聞き手が外側の音をリスニングできるように構成されている。
袋小路下側チャンバ８
【００４９】
袋小路下側チャンバ８
拡散エンクロージャ４０に加えて、音を伝送するための装置４は、袋小路下側チャンバ８を備え、袋小路下側チャンバ８は、拡散エンクロージャ４０の上流部分５の延長上に延びている。言い換えると、袋小路下側チャンバ８は、図２に図示される入口開口軸線４１に対して拡散エンクロージャ４０と正反対にある。好ましくは、拡散エンクロージャ４０及び袋小路下側チャンバ８は、同じ材料、特にＰＶＣで作製されている。
【００５０】
袋小路下側チャンバ８は、好ましくは中空であり、すなわち空洞が形成されている。更に、袋小路下側チャンバ８は、音を拡散チャンバ４０内に誘導する前に、音を空洞内に誘導することを可能にする。音を拡散チャンバ４０内に誘導することは、出口開口部４２の位置で音が漏れる前に行われる。音を袋小路下側チャンバ８内に誘導することは、音の周波数（高音、中音、及び低音）の間の分離を増加させて、使用者によって認識される音の空間性を強化することを可能にする。したがって、このような下側チャンバ８は、特に有利である。
【００５１】
共鳴チャンバ５と同様に、下側チャンバ８は、共鳴チャンバ５の第１の振動壁５１の延長上に延びている第１の振動壁８１と、共鳴チャンバ５の第２の振動壁５２の延長上に延びている第２の振動壁８２と、を備える。
【００５２】
下側チャンバ８の長さは、拡散エンクロージャ４０内で直接循環する音（直接音）と、下側チャンバ８の底部で反射後に間接的に循環する音（間接音）との重ね合わせが、人の耳によって直接知覚できないようにパラメータ化される。好ましくは、下側チャンバ８の長さは、直接音と間接音との好ましくない重ね合わせを回避するために、３０ｍｍ未満である。また、下側チャンバ８の長さは、人の耳によって知覚可能な空間性を生成するように、１０ｍｍよりも大きい。実際には、下側チャンバ８の長さは、共鳴チャンバの長さ、すなわち拡散エンクロージャ４０の上流部分５の長さのおおよそ２０％に等しい。
【００５３】
好ましくは、下側チャンバ８の壁、特に下側チャンバ８の側壁は、拡散エンクロージャ４０の壁と比較して厚く、下側チャンバ８内を循環する音の中音及び低音の構成成分に有利であるようになっている。例えば、下側チャンバ８の側壁の厚さは、ほぼ２〜４ｍｍ程度である。
【００５４】
袋小路下側チャンバ８は任意であり、当然ながら、音を伝送するための装置４がこのような袋小路下側チャンバ８を含まないことも可能であろう。
【００５５】
有利には、音を伝送するための装置４が下側チャンバ８を備えない場合、音を伝送するための装置４は、耳１の耳たぶの近くに配置されるのに適する楔装置（wedging device）を備えてもよい。これは、イヤピース２を耳１の近くで安定化させるためである。
【００５６】
本発明による音を伝送するための装置４によって、放音は共鳴チャンバ５の第１の振動壁５１を振動させ、入口開口部４１から発生する「命令された（ordered）」音をオフセットさせる。聞き手にとって、このことは、聴覚の開放性の感覚を生じさせ、すなわちリスニング中にステレオの「右」部品と「左」部品との間の分離を増加させる。更に、感覚認知も増加する。聞き手は、有利なことに、より没頭して楽しむために、ボリュームを増加させる必要がない。
【００５７】
本発明の第２の実施形態を、図４〜図６を参照して説明する。説明を簡略化するために、同じ参照番号を使用して、図２及び図３の要素と同一、等価、又は同様の構造又は機能を有する要素を説明する。更に、図２及び図３の実施形態の説明全体は繰り返さない。なぜなら、この説明は、不適合でない限り、図４〜図６の要素に適用されるからである。注目すべき構造的及び機能的な差異のみを説明する。
【００５８】
本発明による音を伝送するための装置４’の第２の実施形態によると、図４〜図６を参照して、音を伝送するための装置４’は、バランスピース１０を備え、バランスピース１０は、拡散エンクロージャ４０の上流部分５の外側側縁部５４に取り付けられ、拡散エンクロージャ４０の空洞内に延びている。言い換えると、図４に図示されるように、バランスピース１０は、取り付け縁部１０Ａと、自由縁部１０Ｂと、を備える。
【００５９】
この例では、図４に図示されるように、バランスピース１０は、上流部分５の外側側縁部５４から下側側縁部５３に延びている。バランスピース１０の取り付け縁部１０Ａは、外側側縁部５４に密封して締結されており、これは伝送される音の力を損失することを防ぐためである。
【００６０】
好ましくは、バランスピース１０の自由端は、下側側縁部からある距離を置いて延びており、音を圧縮する。これは伝送される音の中音の構成成分を適合させるためである。したがって、音はバランスピース１０の自由端の上、下、及び自由端で循環し、バランスピース１０によって改質される。
【００６１】
図５を参照すると、バランスピース１０は、平坦なピースの形態であり、第１の振動壁５１と第２の振動壁５２との間で延びており、入口開口部４１から発生する音に影響を与えるようになっている。バランスピース１０は、好ましくは、振動壁５１，５２と平行に延びている。
【００６２】
バランスピース１０は、バイオリンのバスバーのように、拡散エンクロージャ４０の音の構成成分を均一化することを可能にする。したがって、上流部分５の振動壁５１，５２から発生する振動は、バランスピース１０によって滑らかになる。言い換えると、バランスピース１０は、上流部分５の音についてのイコライザ機能を満たす。
【００６３】
バランスピース１０は、好ましくは、木材、プラスチック、又は複合材料で作製される。バランスピース１０を形成する材料の性質は、共鳴特性と吸収特性との間の歩み寄り（compromise）から生じる。あるいは、バランスピース１０は、拡散エンクロージャ４０の上流部分と同じ材料で作製してもよい。このような代替物は、音を伝送するための装置４’のコストを削減することを可能にし、この場合、バランスピース１０を組み立てる工程は、必要ではない。
【００６４】
好ましくは、図４〜図６を更に参照すると、音を伝送するための装置４’は、上側魂柱１１及び下側魂柱１２を備え、上側魂柱１１及び下側魂柱１２はそれぞれ、共鳴チャンバ５内、及び袋小路下側チャンバ８内に収容されている。
【００６５】
上側魂柱１１は、振動壁５１，５２の間に機械的張力を及ぼし、バイオリンの魂柱のように、振動特性を改善するために配置されている。言い換えると、上側魂柱１１は、第１の振動壁５１を第２の振動壁５２に機械的に接続して、第１の振動壁５１の振動全体が第２の振動壁５２と連絡するようにすることを可能にする。下側魂柱１２は、下側チャンバ８の振動壁８１，８２について、同じ機能を満たすことを可能にする。
【００６６】
図４に図示されるように、上側魂柱１１は、拡散エンクロージャ４０内で、上流部分５の中央の近くに取り付けられている。同様に、下側魂柱１２は、袋小路下側チャンバ８内で、袋小路下側チャンバ８の中央の近くに取り付けられている。
【００６７】
好ましくは、上側魂柱１１が、バランスピース１０と共に共鳴チャンバ５内で使用される場合、図４に図示されるように、バランスピース１０は、より小さな断面を有する上流部分を備え、上側魂柱１１を拡散エンクロージャ４０内で、バランスピース１０の近くに配置することを可能にするようになっており、上側魂柱１１とバランスピース１０とは接触していない。
【００６８】
この実施例では、それぞれの魂柱１１，１２は、振動壁５１，５２，８１，８２と直交して延びている要素の形態であり、すなわち、入口軸線Ｘと実質的に平行である。加えて、それぞれの魂柱１１，１２は、長さが、魂柱１１，１２が収容されるチャンバ５，８の厚さよりもわずかに長く、好ましくはほぼ１０％程度長い。言い換えると、それぞれの魂柱１１，１２は、圧縮応力を与えた状態でチャンバ５，８内に取り付けられており、これは、振動壁５１，５２，８１，８２をドラムのように引き伸ばすためである。
【００６９】
当然ながら、音を伝送するための装置４’は、魂柱１１，１２を１つだけ含んでもよい。同様に、音を伝送するための装置４’は、１以上の魂柱１１，１２を含み、バランスピース１０を含まなくてもよい。
【００７０】
魂柱１１，１２は、第１の振動壁５１，８１の振動を第２の振動壁５２，８２に機械的に伝送することを可能にする。チャンバ５，８の複数の振動壁５１，５２，８１，８２の振動は、音の周波数のオフセットを強化することを可能にするので、空間性を向上させることを可能にする。
【００７１】
魂柱１１，１２は、ストライク近接効果（striking proximity effect）を提供するように、小さな音と大きな音との間の分離を向上させることにより、音のダイナミクスに作用することを可能にする。例えば、一部のアコースティック音楽では、聞き手は、聞き手の正面で音が演奏されているという感覚を有し、このことは、没頭の気持ちを強くする。
【００７２】
本発明による音を伝送するための装置４”の第３の実施形態によると、図７〜図９を参照して、袋小路下側チャンバ８は、袋小路下側チャンバ８の容積を変更するのに適した調節可能な可動壁１３を備える。この効果のために、音を伝送するための装置４”は、可動壁１３を袋小路下側チャンバ８内で並進移動させるのに適した制御装置１４を含む。
【００７３】
この実施例では、制御装置１４は、回転ホイールの形態であり、ラック接続によって、調節可能な可動壁１３に接続されているが、当然ながら、接続は異なっていてもよい。特に、制御装置は、ボタンの形態であって、可動壁１３に堅固に接続されており、下側チャンバ８の溝内で並進運動できるボタンの形態であってもよい。可動壁１３の動きのストロークは、この実施例では、ほぼ１０〜１５ｍｍ程度である。
【００７４】
この実施形態では、聞き手は、それぞれのイヤピースについて、聞き手が望む音の空間性を調節できる。これは、制御装置１４に作用して、可動壁１３を動かすことによってなされる。
【００７５】
本事例では、制御装置１４及び可動壁１３の操作は、音の周波数の構成成分に作用して、「聴覚満足点（auditory satisfaction point）」（当業者には、英語の用語で「スイートスポット（sweet spot）」として知られており、このような聴覚満足点は、それぞれの聞き手に特有である）に達することを可能にする。
【００７６】
聞き手のそれぞれの耳に適合した調節により、リスニングはより心地良く、自然になる。特に、音に深みを与える低音の強化、及び音の演奏全体の明瞭性をより良好にする中音の存在の増大が注目される。
【００７７】
好ましくは、図８を参照すると、音を伝送するための装置４”は、減衰層９９を備え、減衰層９９は、好ましくはエラストマで作製され、第１の振動壁５１の外部表面に取り付けられており、音の低音構成成分の振動を弱めるようになっている。当然ながら、このような減衰層９９は、本発明による音を伝送するための装置の任意の実施形態に適用できる。
【実施例１】
【００７８】
例として、使用者は、使用者の耳のそれぞれ１つに、本発明によるイヤピース２を、音を伝送するための装置４から吊り下げることにより取り付ける。音を伝送するための装置４の形状は、図２に図示されるように湾曲している。
【００７９】
使用者は、使用者の音楽読み取り装置を作動させる。この音楽読み取り装置は、入口開口部内４１のスピーカ３から音を発して、第１の振動壁５１，８１の振動を生じさせる。第１の振動壁５１，８１は、入口軸線Ｘと直交して、入口開口部４１と反対側に延びている。魂柱１１，１２により、第２の振動壁５２，８２も同期して振動し、スピーカ３から発生する音の周波数の間のオフセットが増加するので、空間性も増加する。
【００８０】
一部の振動した音は、出口開口部４２に直接導かれるのに対し、他の音は、袋小路下側チャンバ８内で循環した後、出口開口部に間接的に導かれる。有利なことに、使用者は袋小路チャンバ８の深さを調節して、音の空間性及びダイナミクスを調節する。
【００８１】
直接又は間接的な振動した音は、その後、バランスピース１０によって一緒に合成される。このことは、音を滑らかにして、聴覚認知を改善することを可能にする。合成された音は、その後、中間部分６及び下流部分７に導かれ、出口開口部４２から使用者の耳内へ送られる前に空間性を向上させる。音が耳の非常に近くで発せられる先行技術とは対照的に、音は、耳からある距離を置いて発せられ、機械的処理が行われる。この機械的処理は、音の空間性を向上させ、聞き手をより没頭させる。
【００８２】
本発明により、異なる構成成分の相乗効果の結果として、音のダイナミクス、バランス、及び空間性の改善が達成される。
【００８３】
本発明によるイヤピースは、最適かつ自然なリスニングを可能にする。
【図１】
0006576365.tif 000002
【図２】
0006576365.tif 000003
【図３】
0006576365.tif 000004
【図４】
0006576365.tif 000005
【図５】
0006576365.tif 000006
【図６】
0006576365.tif 000007
【図７】
0006576365.tif 000008
【図８】
0006576365.tif 000009
【図９】
0006576365.tif 000010